(57)【要約】【課題】測定値に異常をきたさない電解質スライドの製造装置を提供する。【解決手段】上記課題は、２つの枠体を両面接着テープを介して接合して組み立てる電解質スライドの組立装置であって、一方の枠体に接着されている両面接着テープから残りの剥離紙を剥ぎ取る装置と、該枠体を他方の枠体と合わせて接合する装置と、これらの枠体を搬送するコンベアよりなり、前記の剥離紙が剥離されている枠体から静電気を除去する除電装置が設けられていることを特徴とする電解質スライドの組立装置によって解決される。【選択図】        図１
2004170253.tif 000002
【特許請求の範囲】
【請求項１】
２つの枠体を両面接着テープを介して接合して組み立てる電解質スライドの組立装置であって、一方の枠体に接着されている両面接着テープから残りの剥離紙を剥ぎ取る装置と、該枠体を他方の枠体と合わせて接合する装置と、これらの枠体を搬送するコンベアよりなり、前記の剥離紙が剥離されている枠体から静電気を除去する除電装置が設けられていることを特徴とする電解質スライドの組立装置
【請求項２】
両枠体を接合して組み立てられた電解質スライドの除電装置がさらに設けられていることを特徴とする請求項１記載の装置
【請求項３】
組み立てられた電解質スライドの集積装置がさらに設けられ、該集積装置に電解質スライドの除電装置が設けられていることを特徴とする請求項１または２記載の装置
【発明の詳細な説明】
【０００１】
【発明の属する技術分野】
本発明は、フィルム状イオン選択電極を用いてイオン活量を測定する電解質スライドを組み立てる装置に関するものである。
【０００２】
【従来の技術】
液体試料中のイオン活量を迅速、簡便に、かつ精度良く測定するには、イオン選択膜を用いたイオン活量測定器具、特にフィルム状イオン選択電極を用いた電解質スライドが有効である（特許文献１参照）。
【０００３】
【特許文献１】
西独国特許第２，７２２，６１７号明細書
【０００４】
また、液体試料及び参照液を一度点着すれば複数種類のイオン活量を同時に測定できる電解質スライドも提案されている（特許文献２，３参照）。
【０００５】
【特許文献２】
特開昭５８−２１１６４８号公報
【特許文献３】
特開昭６２−９２６４号公報
【０００６】
このような電解質スライドとしては、図３に示すように、上部枠体１および下部枠体２と、多層フィルム電極３および分配部材４を挟んで上部枠体１と下部枠体２とを接着する両面接着テープ５とで構成されている。上部枠体１は外側面にブリッジ６が設けられるブリッジ溝７ａが形成されるとともに、液体試料および参照液が滴下される点着孔８ａが穿設されている。また、上部枠体１の内側面には電極を収容する３つの溝７ｂが形成され、この溝７ｂにそれぞれ多層フィルム電極３が嵌入されている。下部枠体２は内側面に分配部材を収容する２つの溝７ｃが形成されるとともに、その両側に電極に電気的接続をするための６つの端子孔８ｄが穿設され、各溝７ｃにそれぞれ２つの分配部材４が配置されている。
【０００７】
多層フィルム電極は、ポリエチレンテレフタレート樹脂等からなるベースに中央部分がハロゲン処理された銀層が積層され、このハロゲン処理部にイオン選択膜が積層された層構成となっている。
【０００８】
両面接着テープ５は、点着孔８ｂおよび液供給孔８ｃが穿設されており、点着孔８ｂが上部枠体１の点着孔８ａに対応するとともに、液供給孔８ｃが多層フィルム電極３および分配部材４と一致するように上部枠体１と下部枠体２とを接着している。
【０００９】
従来、このような電解質スライドは手作業で製造されていた。
【００１０】
本発明者らは、電解質スライドを大量生産する方法を検討を重ね、下部枠体を組み立てる方法について数多く特許出願を行ってきた（特許文献４〜７参照）。
【００１１】
【特許文献４】
特開昭６３−９２４５３号公報
【特許文献５】
特開昭６３−１３０６８７号公報
【特許文献６】
特開昭６３−１３０６８８号公報
【特許文献７】
特開昭６３−２２５０６５号公報
【００１２】
【発明が解決しようとする課題】
ところが、電解質スライドを上部枠体と下部枠体に分けて組み立て、両枠体を接合して製造した電解質スライドが時々測定値に異常を示すことが見出された。本発明の目的は、測定値に異常をきたさない電解質スライドを提供することにある。
【００１３】
【課題を解決するための手段】
本発明者らは、上記課題を解決するべく鋭意検討の結果、異常な測定値を示す原因が電解質スライドの帯電にあり、この帯電が特に一方の枠体に接着されている両面接着テープから残りの剥離紙を剥ぎ取る工程で発生する静電気によるものが問題であることをつきとめた。そして、さらに静電気は他の工程でも発生しており、これを最終工程で除去することがさらに有効であることをつきとめた。
【００１４】
本発明は、これらの知見に基づいてなされたものであり、
２つの枠体を両面接着テープを介して接合して組み立てる電解質スライドの組立装置であって、一方の枠体に接着されている両面接着テープから残りの剥離紙を剥ぎ取る装置と、該枠体を他方の枠体と合わせて接合する装置と、これらの枠体を搬送するコンベアよりなり、前記の剥離紙が剥離されている枠体から静電気を除去する除電装置が設けられていることを特徴とする電解質スライドの組立装置と、
両枠体を接合して組み立てられた電解質スライドの除電装置がさらに設けられていることを特徴とする上記の装置と、
組み立てられた電解質スライドの集積装置がさらに設けられ、該集積装置に電解質スライドの除電装置が設けられていることを特徴とする上記の装置
に関するものである。
【００１５】
【発明の実施の形態】
本発明は、２つの枠体を両面接着テープを介して接合して組み立てる電解質スライドに適用されるものである。この２つの枠体は接合されて製品となるものであるから、半製品状態のものである。
【００１６】
２つの枠体の接合は、両面接着テープのみでも強度が足りる場合には両面接着テープのみでもよいが、必要により、２つの枠体を溶着や接着剤による接着等でさらに接合性を高めておく。
【００１７】
本発明の装置は、電解質スライドを組み立てる最終段階のものであり、剥離紙の剥取装置と両枠体の接合装置と各枠体を搬送するコンベアよりなる。
【００１８】
剥離紙の剥取装置は、電解質スライドを構成する２つの枠体の一方に接着されている両面接着テープに残っている剥離紙を剥ぎ取るものである。剥取手段には接着テープが使用される。その接着面を剥離紙に押し付けることによって剥離紙を接着し、次いで接着テープを移動させることによって剥離紙を両面接着テープから剥ぎ取っていく。従って、剥離紙と接着テープの間の接着力が剥離紙と両面接着テープの間の接着力が強い必要があり、接着力が２倍以上、好ましくは５倍以上とすることが望ましい。この接着力の調整は、接着剤の選択による外、接着テープや両面接着テープの接着剤塗布面の材質の選択等によって行うことができる。接着テープを剥離紙に押し付ける手段は種々の方法を利用でき、例えば押付ブロックやローラを下降させて押し付ける方法がある。その外、ローラを移動させないでコンベアの搬送を利用して枠体をその下を通過させることにより押し付け、剥ぎ取りを行う方法もある。接着テープの走行方向もコンベアの搬送方向と同一または直角方向のいずれでもよい。
【００１９】
この剥離紙の剥離の際に静電気が発生するので、本発明ではこの剥離部またはその下流側に除電装置を設ける。この除電装置には種々のものを用いることができるが、例えば電圧をかけて電離を起こさせ、そのイオン風を吹き付けるタイプのものが好ましい。これはシムコジャパン（株）やＴａｋｅｕｃｈｉ  Ｅｌｅｃｔｒｉｃ  Ｗｏｒｋｓからスタティックエリミネーターの名称で市販されている。
【００２０】
両枠体の接合装置は、剥離紙が剥ぎ取られた両面接着テープを内側にして接合するものであり、この接合はこの両面接着テープの接着力のみによるもののほか枠体同士の溶着、接着剤による接着等の併用も含まれる。
【００２１】
各枠体を搬送するコンベアの種類も特に問わないが、間欠的に搬送しうるものが好ましい。
【００２２】
両枠体を合わせて完成した電解質スライドは次に包装工程等に送られるが、その前に一旦集積してさらに除電を行うことが好ましい。この除電装置の種類も問わないが、例えば前述のものを用いることができる。
【００２３】
【実施例】
本発明の実施例である、電解質スライドの組立装置の下部枠体２の供給部を図１に、この下部枠体２を上部枠体１と合わせて接合し、集積している状態を図２に示す。
【００２４】
図１に示すように、半製品となっている下部枠体２は図面左上からコンベア６０によって供給され、剥離紙剥取装置１０で両面接着テープ５の上面に残っている剥離紙５ａが剥ぎ取られる。この剥離紙剥取装置１０では剥離紙接着テープ１１が上方より供給されており、押付ブロック１２で方向を変えられて上方に退出する。押付ブロック１２は、下部枠体２がその下に到着すると下降して剥離紙接着テープ１１を下部枠体の上面に残っている剥離紙５ａに押し付けるものであり、次いで押付ブロック１２を上昇させることにより押付で接着テープ１１に接着された剥離紙５ａが剥ぎ取られる。剥取が終了接着テープ１１は１コマ分走行して次の下部枠体２の到着を持つ。この剥離紙剥取部１０にはイオン風を吹き付けて静電気を除去する除電装置１３が設けられており、下部枠体２に帯電した静電気を除去するようになっている。
【００２５】
剥離紙５ａが剥ぎ取られて静電気が除去された下部枠体２は、次に下部枠体反転部２０で裏返される。この下部枠体反転部１０は、図１に示すように、下部枠体２を挟持する掴持片２１とそれを先端に固着して動かすアーム２２と該アーム２２の作動機構（図示されていない。）よりなっている。
【００２６】
下部枠体反転部２０では、この作動機構により、両アーム２２は上下方向から回動して掴持片２１が下部枠体２の搬送方向左側部中央を挟持し、そのまま上方に移動し、次いで１８０度回転して下部枠体２を裏返し、その後下降することによって下部枠体２を反転させる。なお、コンベア６０の搬送方向左側スライダ６３の掴持片２１に対応する部分は切欠６４になっていて掴持片２１が自由に通過しうるようになっている。
【００２７】
反転された下部枠体２は、コンベア６０によりさらに搬送されて上部枠体１と合わせる渡し部３０に送られる。ここでは、図２に示すように、下部枠体２が、吸引管３１に吸着保持されてコンベア７０の直上に運ばれる。そこで、吸引管３１が下降して、下部枠体２を上部枠体１の上に置き、その後吸引管３１は下部枠体２を放して上昇し、元の位置に戻る。
【００２８】
この枠体合わせ部４０は、図２に示すように、反転状態でブリッジ６が取着され、３つの電極３をそれぞれの溝７ｂに収容している上部枠体１に、やはりそれぞれの部品の取り付けられている下部枠体２を合わせるところである。
【００２９】
次いで、両枠体１，２は超音波溶着部５０でホーン５１により４隅が溶着固定される。
【００３０】
これらの各部間を搬送するコンベア６０，７０は、棹形コンベアと呼ばれ、略等間隔に凸部６１，７１と凹所６２，７２が交互に形成された櫛歯状をしており、これが上昇、前進、降下、後退を繰り返して搬送を行う。すなわち、各凹所６２，７２に上部枠体１または下部枠体２を入れて前進し、枠体１，２を１コマ分搬送する。次いで、降下して枠体１，２を放し、１コマ分後退し、再度上昇して各凹所がそれぞれ次の枠体１，２を保持し、次いで前進して枠体１，２をそれぞれ１コマ分搬送し、これを繰り返すことにより枠体１，２を間欠的に搬送するものである。コンベア６０，７０が下降状態にあるときは、枠体１，２はコンベア６０，７０の両側のスライダ６３，７３部分によって保持される。
【００３１】
こうして完成した電解質スライド９０はその後厚味、ズレチェック部（いずれも図示されていない。）で厚味、ズレをチェックされ、集積部８０へ送られる。
【００３２】
すなわち、コンベア７０の終点に到達した電解質スライド９０は吸引管８１に吸着保持されて上昇し、回動して待機しているラック８２真上に移動し、次いで下降して放すことにより電解質スライド９０をラック８２内に集積していく。
【００３３】
集積部８０は間欠的に回転するシリンダ８３の外周面に電解質スライド９０を集積する枠状のラック８２が等間隔に多数取着されており、一のラック８２に電解質スライド９０の集積が終了するとシリンダ８３がラック８２  １個分回転して次のラック８２に電解質スライド９０の集積が行われる。コンベア７０の終点付近および電解スライド９０が集積されたラック８２の近傍にはそれぞれイオン風を吹き付けて静電気を除去する除電装置８４，８５が設置されており、電解質スライド９０に帯電した静電気を除去するようになっている。
【００３４】
【発明の効果】
本発明により、組立工程で発生した静電気を電解質スライドから確実に除去して、それによる測定誤差をなくすことができる。
【図面の簡単な説明】
【図１】本発明の一実施例である装置の、下部枠体から剥離紙を剥ぎ取って上部枠体搬送コンベアに供給する部分の要部斜視図である。
【図２】両枠体を接合して集積する部分の要部斜視図である。
【図３】実施例で組み立てられた電解質スライドの分解斜視図である。
【符号の説明】
１…上部枠体
２…下部枠体
３…多層フィルム電極
４…分配部材
５…両面接着テープ
５ａ…剥離紙
６…ブリッジ
７ａ…ブリッジ溝
７ｂ…溝
７ｃ…溝
８ａ…点着孔
８ｂ…点着孔
８ｃ…液供給孔
８ｄ…端子孔
１０…剥離紙剥取装置
１１…剥離紙接着テープ
１２…押付ブロック
１３…除電装置
２０…下部枠体反転部
２１…掴持片
２２…アーム
３０…下部枠体渡し部
３１…吸引管
３２…吸着口
４０…枠体合わせ部
５０…超音波溶着部
５１…ホーン
６０，７０…コンベア
６１，７１…凸部
６２，７２…凹所
６３，７３…スライダ
６４…切欠
８０…集積部
８１…吸引管
８２…ラック
８３…シリンダ
８４…除電装置
８５…除電装置
【図１】
2004170253.tif 000003
【図２】
2004170253.tif 000004
【図３】
2004170253.tif 000005